(57)【要約】【課題】透明遊技盤の必要な部分にのみ貼付された装飾フィルムが、遊技盤の役物が配置される貫通孔から遊技盤の外周縁まで延びる縁を有する場合、その縁がめくれ難く、装飾性を損なう虞を低減可能なパチンコ遊技機を提供する。【解決手段】遊技盤本体７０が、透光性を有する合成樹脂で形成されることにより遊技盤本体７０の後方を視認可能に構成され、印刷フィルム７３が、遊技盤本体７０の前面または後面に貼付され、印刷フィルム７３が、センター役物３が配置される貫通孔７７から、遊技盤本体７０の外周縁７０ａまで延設された縁７５を有し、縁７５の貫通孔７７側の始点７５ａと外周縁７０ａ側の終点７５ｂとを結ぶ基準線Ｌよりも、縁７５が長くなるように形成されているパチンコ遊技機。【選択図】図５
2011083386.tif 000002
【特許請求の範囲】
【請求項１】
遊技球が打ち込まれる遊技領域が前面に形成される遊技盤本体を備えたパチンコ遊技機において、
前記遊技盤本体が、透光性を有する合成樹脂で形成されることにより前記遊技盤本体の後方を視認可能に構成され、
合成樹脂製フィルムからなる装飾フィルムが、前記遊技盤本体の前面または後面に貼付され、
前記装飾フィルムが、前記遊技盤本体に形成されて役物が配置される貫通孔から、前記遊技盤本体の外周縁まで延設された縁を有し、
前記縁の前記貫通孔側の始点と前記外周縁側の終点とを結ぶ直線を基準線としたとき、前記縁が前記基準線よりも長くなるように形成されていることを特徴とするパチンコ遊技機。
【請求項２】
前記装飾フィルムの前記縁に沿った部分が、前記縁の少なくとも半分以上に亘って無色透明とされていることを特徴とする請求項１記載のパチンコ遊技機。
【発明の詳細な説明】
【技術分野】
【０００１】
本発明は、透光性（光透過性）を有した合成樹脂製遊技盤を備えたパチンコ遊技機に関する。
【背景技術】
【０００２】
下記特許文献１の遊技機は、透明基板の前面に絵柄フィルムを貼付した遊技盤を備え、遊技盤中央に配置される表示部の縁を、絵柄フィルムの絵柄描画領域で覆うことにより、遊技盤の後方に設けられた機構部材等が遊技者に透けて見えてしまうことを防止している（同文献の段落００８５参照）。
【先行技術文献】
【特許文献】
【０００３】
【特許文献１】特開２００４‐１６００３１号公報
【発明の概要】
【発明が解決しようとする課題】
【０００４】
上記特許文献１では、絵柄フィルムは表示部の前方を含めて透明基板の全面に貼られているが（同文献の図６参照）、コスト及び省資源の面からは、絵柄フィルムは必要な箇所にのみ貼ることが好ましい。しかし、必要な箇所にのみ貼付することにより、絵柄フィルムが、遊技盤の役物が配置される貫通孔から遊技盤の外周縁まで延びるような縁を有することとなる場合には、かかる縁は、長さが短いために、遊技盤に設けられたランプ等の熱により絵柄フィルムが収縮したときに、その収縮を吸収できず、めくれてしまって、装飾性が損なわれてしまう虞がある問題があった。
【０００５】
本発明は、上述した問題を解決するものであり、透明遊技盤の必要な部分にのみ貼付された装飾用のフィルムが、遊技盤の役物が配置される貫通孔から遊技盤の外周縁まで延びる縁を有する場合、その縁がめくれ難く、装飾性を損なう虞を低減可能なパチンコ遊技機を提供することを目的とする。
【課題を解決するための手段】
【０００６】
本発明のパチンコ遊技機は、遊技球が打ち込まれる遊技領域が前面に形成される遊技盤本体を備えたパチンコ遊技機において、前記遊技盤本体が、透光性を有する合成樹脂で形成されることにより前記遊技盤本体の後方を視認可能に構成され、合成樹脂製フィルムからなる装飾フィルムが、前記遊技盤本体の前面または後面に貼付され、前記装飾フィルムが、前記遊技盤本体に形成されて役物が配置される貫通孔から、前記遊技盤本体の外周縁まで延設された縁を有し、前記縁の前記貫通孔側の始点と前記外周縁側の終点とを結ぶ直線を基準線としたとき、前記縁が前記基準線よりも長くなるように形成されていることを特徴とする。
【０００７】
装飾フィルムの縁の長さを、貫通孔側の始点と外周縁側の終点とを結ぶ基準線の長さ（すなわち、始点と終点との最短距離）より長くすることにより、装飾フィルムが収縮しても、その収縮をある程度吸収できるため、装飾フィルムの縁がめくれ難くなり、装飾性を損なう虞を低減可能である。
【０００８】
なお、前記装飾フィルムの前記縁に沿った部分が、前記縁の少なくとも半分以上に亘って無色透明とされていることが望ましい。仮に装飾フィルムの縁がめくれたとしても、縁に沿った部分に無色透明な部分が多いため、遊技者には見え難く、装飾性を損なう虞をより低減可能だからである。
【発明の効果】
【０００９】
本発明によれば、装飾フィルムの縁がめくれ難くなり、装飾性を損なう虞を低減可能である。
【図面の簡単な説明】
【００１０】
【図１】本発明の実施形態に係るパチンコ遊技機の正面図である。
【図２】同実施形態に係る遊技盤の遊技盤本体を透かして見える部分を破線表示した正面図である。
【図３】同実施形態に係る遊技盤の分解斜視図である。
【図４】同実施形態に係る印刷フィルムの正面図である。
【図５】同実施形態に係る印刷フィルムを貼付した遊技盤本体の背面図である。
【図６】同実施形態に係る遊技盤の遊技盤本体を透かして見える部分を実線表示した正面図である。
【図７】図６のVII-VII線断面図である。
【図８】同実施形態に係る遊技盤の図７に対応する部分の斜視図である。
【図９】図６のIX-IX線断面図である。
【図１０】同実施形態に係る遊技盤の可動体が待機位置にあるときの部分正面図（ａ）、登場位置にあるときの部分正面図（ｂ）である。
【図１１】同実施形態に係る電気系統のブロック図である。
【図１２】同実施形態に係るタイマ割込処理のフローチャートである。
【図１３】同実施形態に係るコマンド受信処理のフローチャートである。
【図１４】同実施形態に係る演出選択処理のフローチャートである。
【図１５】同実施形態に係る変動演出終了中処理のフローチャートである。
【図１６】同実施形態に係る演出ボタン処理のフローチャートである。
【発明を実施するための形態】
【００１１】
本発明の一実施形態に係るパチンコ遊技機について、図面に基づいて説明する。
【００１２】
図１及び図２に示すように、実施形態のパチンコ遊技機は、枠ランプ１７、スピーカ１８、及び、演出ボタン９０が配設された前面枠１０と、前面枠１０の内側に配設された遊技盤１とを備え、遊技盤１には、誘導レール５で囲まれて遊技球が打ち込まれる遊技領域２が形成されている。遊技領域２には、遊技盤本体７０に装着されて遊技盤本体７０の前面側に設けられる遊技盤面部材として、複数の遊技釘６、遊技用風車７、ゲート８の他、入賞口を構成する入賞口構成部材９が配設されている。入賞口としては、第１始動口５１、第２始動口５５、第１大入賞口４１、左右の第２大入賞口３１、３１、及び、普通入賞口６０ａ、６０ｂ、６０ｃ、６０ｄ（区別しないときは「普通入賞口６０」と表記する。）がある。また、遊技盤１には、図２に示すように、普通図柄表示器１３、第１特別図柄表示器１４ａ、第２特別図柄表示器１４ｂ、普通図柄保留ランプ１５、第１特別図柄保留ランプ１６ａ、及び、第２特別図柄保留ランプ１６ｂが配設されている。
【００１３】
遊技領域２の中央部にはセンター役物３が配設されている。センター役物３には第２大入賞装置３０が設けられ、第２大入賞装置３０内にはＶゾーンと称される特定領域３５が設けられている。上述した第２大入賞口３１、３１は、第２大入賞装置３０に設けられている。センター役物３の中央部には、画像表示器４の液晶画面４ａが配設されている。
【００１４】
図３に示すように、遊技盤１は、遊技盤本体７０、センター役物３、遊技領域形成部材７１、表示器配置部材７２、装飾フィルムに相当する印刷フィルム７３、スペーサ（補助板部材）７４、背面装飾部材７６、第１始動入賞装置５０、第１大入賞装置４０、及び、第２始動入賞装置５２を備えている。遊技盤本体７０は、透光性を有する合成樹脂（本実施形態ではアクリル樹脂）により無色透明な略矩形の板状に形成され、遊技盤本体７０の後方を視認可能に構成されている。遊技盤本体７０の中央部には、センター役物３が配置される貫通孔７７がルーター加工により形成されている。また、第１始動入賞装置５０、第１大入賞装置４０、第２始動入賞装置５２、各普通入賞口６０、及び、ゲート８を配置するための各貫通孔も、ルーター加工により遊技盤本体７０に形成されている。遊技盤本体７０には、前面に誘導レール５が取着され、遊技領域２が形成されている。
【００１５】
遊技領域形成部材７１は、遊技盤本体７０の前面左側に取着されて、遊技領域２の範囲を決めるものであり、透明な部材とされている。なお、本明細書において、左右とは遊技盤１に向かって左右をいうものとする。表示器配置部材７２は、遊技盤本体７０の前面右上側に取着されて、遊技領域２の範囲を決めるとともに、上述した普通図柄表示器１３等の各種図柄表示器や保留ランプを、前方から目視可能に収納するものである。
【００１６】
第１始動入賞装置５０は、第１始動口５１を備えるものであり、遊技球の第１始動口５１への入賞を契機として、メイン制御基板２０（図１１参照）において大当たり抽選が行われ、その抽選結果が大当たりであれば、第１大入賞口４１を所定回数開閉する大当たり遊技が行われる。
【００１７】
第２始動入賞装置５２は、第２始動口５５を備えるものであり、遊技球の第２始動口５５への入賞を契機として、メイン制御基板２０において大当たり抽選が行われ、その抽選結果が大当たりであれば、第１大入賞口４１を所定回数開閉する大当たり遊技が行われ、小当たりであれば、第２大入賞口３１、３１を所定回数開閉する小当たり遊技が行われる。そして、小当たり遊技中にいずれかの第２大入賞口３１に入賞した遊技球が特定領域３５（図２参照）を通過すれば、第１大入賞口４１を所定回数開閉する大当たり遊技が行われる。第２始動入賞装置５２には、遊技領域２の範囲を決める遊技領域形成部材７８が取着されている。遊技領域形成部材７８は透明な部材とされている。
【００１８】
遊技盤本体７０の後面（背面）には、印刷フィルム７３が貼着されている。印刷フィルム７３は、透光性を有する合成樹脂製フィルム（本実施形態では、無色透明なＰＥＴフィルムであり、二軸延伸フィルムである。）に絵柄を印刷したものであり、厚さ約７５μmで、前面が粘着層とされ、後面に印刷が施されて、図４に示すように、それぞれ印刷により着色された第１の印刷部７３ａと第２の印刷部７３ｂと第３の印刷部７３ｃとを有している。第１の印刷部７３ａは、飛行機の絵柄が印刷された部分であり、透光性のない不透明部分とされ、第２の印刷部７３ｂは、爆発時の赤い光の絵柄が印刷された部分であり、第１の印刷部７３ａよりも透光性が高い半透明部分とされ、第３の印刷部７３ｃは、爆発時の橙色の光の絵柄が印刷された部分であり、第２の印刷部７３ｂよりも透光性が高い半透明部分とされている。なお、図４では、網掛けの色が濃い程、透光性が低いことを示している。また、印刷フィルム７３は、格子の絵柄が印刷された格子印刷部７３ｄ、及び、飛行機の絵柄が印刷された飛行機印刷部７３ｅを有し、格子印刷部７３ｄ及び飛行機印刷部７３ｅは、透光性のない不透明部分とされている。
【００１９】
遊技盤本体７０は、後面に印刷フィルム７３を貼着後、ルーター加工により上述した貫通孔７７等の孔が形成される。図５は、印刷フィルム７３を後面に貼付し貫通孔７７等の孔を形成した遊技盤本体７０の背面図であるが、図５に示すように、貫通孔７７の形成後の印刷フィルム７３は、貫通孔７７から遊技盤本体７０の外周縁７０ａまで延びる縁７５を有している。縁７５には、貫通孔７７側の始点７５ａと外周縁７０ａ側の終点７５ｂとを結ぶ直線を基準線Ｌとしたとき、基準線Ｌの長さよりも長くなるように、曲線状とされている。印刷フィルム７３の縁７５に沿った縁近傍部７５ｃは、縁７５の半分以上に亘って（本実施形態では、縁７５の全部に亘って）無色透明とされている。また、遊技盤本体７０には、後面に印刷フィルム７３を貼着後、遊技釘６を植設するための下穴７９が、遊技盤本体７０及び印刷フィルム７３を貫通するように（すなわち、遊技盤本体７０の前面から印刷フィルム７３の後面まで貫通して）設けられる。
【００２０】
また、図３に示すように、印刷フィルム７３が貼付された遊技盤本体７０の後面には、無色透明な合成樹脂製のスペーサ７４が、遊技盤本体７０に螺子止めされることにより、取着される。スペーサ７４は、左上部スペーサ７４ａ、右上部スペーサ７４ｂ、左下部スペーサ７４ｃ、及び、右下部スペーサ７４ｄに分割され、印刷フィルム７３は、遊技盤本体７０と、左下部スペーサ７４ｃ及び右下部スペーサ７４ｄとの間に挟まれる。遊技盤本体７０は、既製のアクリル板を利用可能とするとともに、重量を抑制するために、従来のベニヤ板製遊技盤本体よりも厚みが薄くされている。スペーサ７４は、かかる遊技盤本体７０を従来のベニヤ板製遊技盤本体と同等の厚さにして、従来の遊技盤取付枠に取付け可能とするためのものである。
【００２１】
スペーサ７４が取着された遊技盤本体７０の後方には、背面装飾部材７６が配置される。背面装飾部材７６は、中央部に画像表示器４の液晶画面４ａを配置するための貫通孔７６ａを有し、周辺部に格子状の装飾部（以下、「格子部」という。）７６ｂ、上部にロゴを表した装飾部（以下、「ロゴ部」という。）７６ｃを有している。格子部７６ｂは、複数の桟７６ｄ（図６参照）が放射状に配置されて、全体として略円環状をなし（但し、第１大入賞装置４０及び第２始動入賞装置５２が配置される部分は欠落している。）、内縁部から外縁部に行くに従って遊技盤本体７０に近付くように湾曲している。
【００２２】
図６は、遊技盤本体７０を透かして見える部分を実線表示した遊技盤１の正面図であるが、遊技盤本体７０は透明であるため、印刷フィルム７３に印刷された第１の印刷部７３ａ、第２の印刷部７３ｂ、第３の印刷部７３ｃ、格子印刷部７３ｄ等の絵柄は正面から目視可能である。また、背面装飾部材７６の格子部７６ｂ及びロゴ部７６ｃも、遊技盤本体７０を透かして、正面から目視可能である。ここで、印刷フィルム７３の格子印刷部７３ｄは、正面視において格子部７６ｂと連続して見えるような格子の絵柄とされている。このため、正面視において、格子印刷部７３ｄと格子部７６ｂとは連続して見える。しかも、格子部７６ｂの外縁部は、上述したように遊技盤本体７０の後面に接近しており、特に、正面視において格子印刷部７３ｄと連続して見える部分である、格子部７６ｂの左右の下部の外縁部７６ｅ、７６ｆは、格子印刷部７３ｄに近付くように遊技盤本体７０の後面に接近して配置されていることから、格子印刷部７３ｄは、正面視において、違和感なく、格子部７６ｂと連続して見えることとなる。
【００２３】
図７に示すように、各下穴７９には、遊技釘６が植設されている。また、図７及び図８に示すように、遊技釘６や、普通入賞口６０ｄを構成する入賞口構成部材９等の遊技盤面部材が、遊技盤本体７０の前面側に設けられ、その後方に第１の印刷部７３ａ、第２の印刷部７３ｂ、及び、第３の印刷部７３ｃからなる絵柄が配置され、その後方に背面装飾部材７６の格子部７６ｂが配置されている。すなわち、遊技盤面部材の後方に、透明な遊技盤本体７０を介して、絵柄が見え、その後方に格子部７６ｂが見えることとなる。
【００２４】
また、図７に示すように、第１の印刷部７３ａの後方には、印刷フィルム７３に向けて光を照射可能なＬＥＤからなる盤ランプ１９（発光部に相当。）が配置されている。盤ランプ１９は、不透明部分である第１の印刷部７３ａの後方に配置されているため、正面からは目視できない。
【００２５】
また、図９に示すように、遊技盤本体７０の後方には、演出用の可動役物装置１１が備える可動体１１ａが配置されている。可動体１１ａとは、遊技者に見せる部分であり、本実施形態では、パラシュートを模した形状とされている。可動体１１ａの待機位置は、印刷フィルム７３の飛行機印刷部７３ｅの後方とされ、可動役物装置１１は、可動体１１ａを、図９及び図１０（ａ）に示す待機位置から、図１０（ｂ）に示す登場位置まで移動させるように構成されている。可動体１１ａは、図１０（ａ）に示すように、待機位置では飛行機印刷部７３ｅと重なって、正面からは目視できないが、図１０（ｂ）に示すように、登場位置では飛行機印刷部７３ｅと重ならず、正面から目視可能となる。可動役物装置１１は、後述するように、演出制御基板２２（図１１参照）により、装飾図柄変動演出中に演出ボタン９０が押下され、しかも、その装飾図柄変動演出が大当たりを報知するものである場合にのみ、可動体１１ａを登場位置まで移動させるように制御される。
【００２６】
図１１に示すように、実施形態のパチンコ遊技機は、メイン制御基板（遊技制御基板）２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。
【００２７】
メイン制御基板２０には、第１始動入賞装置５０に設けられて第１始動口５１に入賞した遊技球を検出する第１始動口ＳＷ（スイッチ）５４ａ、第２始動入賞装置５２に設けられて第２始動口５５に入賞した遊技球を検出する第２始動口ＳＷ５４ｂ、第２始動口５５を開閉する電チューソレノイド５３、ゲート８内に設けられてゲート８を通過した遊技球を検出するゲートＳＷ８１、第１大入賞装置４０に設けられて第１大入賞口４１に入賞した遊技球を検出する第１大入賞口ＳＷ４４、第２大入賞装置３０に設けられて第２大入賞口３１、３１に入賞した遊技球を検出する第２大入賞口ＳＷ３４、３４、第１大入賞口４１を開閉する第１大入賞口ソレノイド４２、第２大入賞口３１、３１を開閉する第２大入賞口ソレノイド３２、特定領域３５に設けられて特定領域３５を通過した遊技球を検出する特定領域ＳＷ３６、各普通入賞口６０内にそれぞれ設けられてその普通入賞口６０に入賞した遊技球を検出する普通入賞口ＳＷ６１、第１特別図柄保留ランプ１６ａ、第２特別図柄保留ランプ１６ｂ、普通図柄保留ランプ１５、第１特別図柄表示器１４ａ、第２特別図柄表示器１４ｂ、普通図柄表示器１３がそれぞれ接続され、図２の矢印で示すように、各スイッチからはメイン制御基板２０に信号が入力され、各ソレノイドやランプ等にはメイン制御基板２０から信号が出力される。
【００２８】
そして、メイン制御基板２０は、第１始動口５１または第２始動口５５への遊技球の入賞を契機として大当たり抽選を行い、第１始動口５１への入賞であれば第１特別図柄表示器１４ａ、第２始動口５５への入賞であれば第２特別図柄表示器１４ｂにおいて、特別図柄の変動表示を経て大当たり抽選の結果に応じた特別図柄を停止表示する特別図柄変動を実行し、特別図柄が大当たりを示す図柄で停止した場合には、第１大入賞口４１を所定回数開放する大当たり遊技を、小当たりを示す図柄で停止した場合には第２大入賞口３１、３１を所定回数開放する小当たり遊技を実行する。
【００２９】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００３０】
さらに、メイン制御基板２０は、演出制御基板２２に対し各種コマンドを送信し、演出制御基板２２は、画像制御基板２３及びランプ制御基板２４との間でコマンドや信号の送受信を行う。演出制御基板２２には、演出ボタン９０が押下されたことを検出する演出ボタン検出ＳＷ９１が接続されている。画像制御基板２３には画像表示器４及びスピーカ１８が接続され、画像制御基板２３は、演出制御基板２２から受信したコマンドに従って、画像表示器４の液晶画面４ａに装飾図柄その他の画像を表示し、スピーカ１８から音声を出力する。ランプ制御基板２４には枠ランプ１７、盤ランプ１９、及び、可動役物装置１１が接続され、ランプ制御基板２４は、演出制御基板２２から受信したコマンドに従って、枠ランプ１７や盤ランプ１９を点灯・消灯し、可動役物装置１１を動作させる。
【００３１】
以上のように構成された実施形態のパチンコ遊技機の演出動作について、次に説明する。
【００３２】
［サブ側タイマ割込処理］演出制御基板２２は、図１２に示すようなサブ側タイマ割込処理を所定の短時間毎に繰り返す。サブ側タイマ割込処理では、後述するコマンド受信処理（S1201）及び演出ボタン処理（S1202）と、セットしたコマンドを画像制御基板２３やランプ制御基板２４に送信するコマンド送信処理（S1203）とを行う。
【００３３】
［コマンド受信処理］図１３に示すように、コマンド受信処理では、演出制御基板２２は、メイン制御基板２０から変動開始コマンドを受信していれば後述する演出選択処理を行い（S1301,S1302）、変動停止コマンドを受信していれば後述する変動演出終了中処理を行う（S1303,1304）。そして、演出制御基板２２は、オープニングコマンドを受信していれば、オープニングコマンドを解析して、当たり演出パターンを選択し、オープニング演出開始コマンドをセットする当たり演出選択処理を行い（S1305,1306）、エンディングコマンドを受信していれば、エンディングコマンドを解析し、モードフラグを参照してエンディング演出パターンを選択し、エンディング演出開始コマンドをセットするエンディング演出選択処理を行う（S1307,1308）。
【００３４】
［演出選択処理］図１４に示すように、演出選択処理では、演出制御基板２２は、メイン制御基板２０から受信した変動開始コマンドを解析する（S1401）。変動開始コマンドには、現在の遊技状態を示す情報、大当たり抽選において選択された特別図柄及び変動パターンを示す情報が含まれている。次に、演出制御基板２２は、演出モードを示すモードフラグを参照して（S1402）、装飾図柄変動演出のパターンを選択する変動演出パターン選択処理を行う（S1403）。装飾図柄変動演出とは、数字等の装飾図柄と装飾図柄以外の画像とからなり、変動表示を経て停止表示された装飾図柄により大当たり抽選の結果を報知する演出である。また、演出モードとは、画像表示器４における演出の態様であり、演出モードが異なると、登場するキャラクタや背景が異なる等、画像表示器４に表示される動画が異なり、装飾図柄変動演出も演出モードに応じたものが選択される。また、演出制御基板２２は、盤ランプ１９の点灯パターンを選択する盤ランプ演出パターン選択処理（S1404）を行う。盤ランプ１９の点灯パターンとしては、例えば、装飾図柄が大当たりを示す図柄で停止するときは盤ランプ１９を所定回数点滅させた後に連続して点灯させ、ハズレを示す図柄で停止するときは盤ランプ１９を所定回数点滅させた後に消灯するパターン等がある。そして、演出制御基板２２は、装飾図柄変動演出を開始するための変動演出開始コマンドをセットするとともに（S1405）、盤ランプ演出（選択した点灯パターンに従って盤ランプ１９を点灯させる演出）を行うための盤ランプ演出開始コマンドをセットする（S1406）。
【００３５】
［変動演出終了中処理］図１５に示すように、変動演出終了中処理では、演出制御基板２２は、変動停止コマンドを解析し（S1501）、モードフラグを参照する（S1502）。次に、今終了しようとする装飾図柄変動演出が当たり（大当たりまたは小当たり）を報知するものか否かを判定して（S1503）、当たりを報知するものであればモードフラグ変更処理を行う（S1508）。モードフラグ変更処理では、その当たりの種類に応じた演出モードを示すものにモードフラグを変更するとともに、変更後の演出モードが通常モードでない場合には、その演出モードに対応するカウンタの値Ｍに上限回数をセットする。
【００３６】
一方、演出制御基板２２は、今終了しようとする装飾図柄変動演出が当たりを報知するものでなければ（S1503でNO）、モードフラグが０か否かを判定し（S1504）、０であればステップS1509に進む。なお、モードフラグが０とは通常モードであることを示し、初期状態では（即ち、電源が投入されて最初の遊技が開始されるときは）モードフラグは０である。一方、モードフラグが０でなければ、現在の演出モード用のカウンタの値Ｍを１減少させて（S1505）、その値Ｍが０にならなければ（S1506でNO）、ステップS1509に進むが、０になれば（S1506でYES）、通常モードに戻すためにモードフラグを０として（S1507）、ステップS1509に進む。ステップS1509では、演出制御基板２２は、装飾図柄変動演出を終了させるための変動演出終了コマンドをセットする。そして、演出制御基板２２は、盤ランプ演出を終了させるための盤ランプ演出終了コマンドをセットする（S1510）。
【００３７】
［演出ボタン処理］図１６に示すように、演出ボタン処理では、演出制御基板２２は、演出ボタン検出ＳＷ９１からの信号により、演出ボタン９０が押下されたか（ONされたか）否かを判定し（S1601）、ONされていなければ処理を終え、ONされていれば装飾図柄変動演出中か否かを判定する（S1602）。そして、装飾図柄変動演出中でなければ処理を終え、装飾図柄変動演出中であれば、その装飾図柄変動演出が大当たりを報知するものであるか否かを判定する（S1603）。そして、大当たりを報知するものでなければ処理を終え、大当たりを報知するものであれば、可動役物装置１１を作動させるための可動役物作動コマンドをセットして処理を終える（S1604）。
【００３８】
可動役物作動コマンドは、上述したコマンド送信処理（S1203）によりランプ制御基板２４に出力される。可動役物作動コマンドを受信したランプ制御基板２４は、可動役物装置１１に、可動体１１ａを登場位置まで移動して所定時間経過後待機位置に戻す動作を実行させる。
【００３９】
以上のように動作することにより、実施形態のパチンコ遊技機では、装飾図柄変動演出に並行して盤ランプ演出が行われ、盤ランプ１９が点灯し、印刷フィルム７３に向けて光が照射される。また、装飾図柄変動演出中に演出ボタン９０が押下された場合、その装飾図柄変動演出が大当たりを報知するものであれば、可動役物装置１１が作動して可動体１１ａが飛行機印刷部７３ｅと重ならない位置に移動する。
【００４０】
上述したように、実施形態のパチンコ遊技機では、遊技盤本体７０の中央の貫通孔７７から外周縁７０ａまで延びる印刷フィルム７３の縁７５が、貫通孔７７側の始点７５ａと外周縁７０ａ側の終点７５ｂとを結ぶ基準線Ｌよりも長くなるように、曲線状に形成されている。
【００４１】
印刷フィルム７３のような延伸フィルムは、分子配向が延伸方向に高められているので、再加熱により分子配向に基づく内部応力が緩和されて、延伸前の寸法に収縮しようとする性質を有している。したがって、盤ランプ１９等の裏機構が発生する熱により、印刷フィルム７３は収縮しようとする。一方、遊技盤本体７０は、厚みがあり剛性を有しているので、盤ランプ１９等の裏機構の熱程度では収縮しない。貫通孔７７から外周縁７０ａまで伸びる縁７５は、遊技領域２に現れているので、縁７５がめくれると装飾性を損なうこととなるが、縁７５の長さを、貫通孔７７側の始点７５ａと外周縁７０ａ側の終点７５ｂとを結ぶ基準線Ｌの長さ（すなわち、始点７５ａと終点７５ｂとの最短距離）より長くすることにより、印刷フィルム７３が収縮しても、その収縮をある程度吸収できるため、縁７５がめくれ難く、装飾性を損なう虞を低減可能である。
【００４２】
また、実施形態のパチンコ遊技機では、印刷フィルム７３の縁７５に沿った縁近傍部７５ｃが、縁７５の全部に亘って無色透明とされているので、仮に縁７５がめくれたとしても、遊技者には見え難いため、装飾性を損なう虞をより低減できる。但し、縁７５の少なくとも半分以上に亘って無色透明とすればよい。仮に縁７５がめくれたとしても、縁７５に沿った部分に無色透明な部分が多ければ、遊技者に見え難く、また、センター役物３の枠部等他の機構に隠れるような部分は、無色透明としなくても、めくれた場合に見えないからである。
【００４３】
なお、実施形態のパチンコ遊技機では、遊技盤本体７０の後面に印刷フィルム７３を貼付したが、遊技盤本体７０の前面に貼付してもよい。但し、後面に貼付すれば、印刷フィルム７３が遊技球の流れを妨げる虞がない。
【００４４】
また、実施形態では、装飾フィルムを絵柄を印刷した印刷フィルム７３としたが、装飾フィルムは、絵柄を印刷したものに限らず、例えば、単色のフィルムとしたり、有色透明なフィルムとしたりしてもよい。要するに、装飾フィルムは、装飾に用いられるフィルムであればよい。
【００４５】
また、印刷フィルム７３が、実施形態のようにセンター役物３が配置される貫通孔７７から外周縁７０ａまで延設された縁７５を有する場合のみならず、貫通孔７７以外の役物が配置される貫通孔（例えば、第１大入賞装置４０が配置される貫通孔）から外周縁７０ａまで延設された縁を有する場合には、その縁の貫通孔側の始点と外周縁７０ａ側の終点とを結んだ基準線よりも、その縁が長くなるように形成すれば、印刷フィルム７３の収縮をある程度吸収できて、縁がめくれ難くくなる。
【符号の説明】
【００４６】
１…遊技盤
２…遊技領域
３…センター役物
７０…遊技盤本体
７０ａ…外周縁
７３…印刷フィルム（装飾フィルム）
７５…縁
７５ａ…始点
７５ｂ…終点
７７…貫通孔
Ｌ…基準線
【図１】
2011083386.tif 000003
【図２】
2011083386.tif 000004
【図３】
2011083386.tif 000005
【図４】
2011083386.tif 000006
【図５】
2011083386.tif 000007
【図６】
2011083386.tif 000008
【図７】
2011083386.tif 000009
【図８】
2011083386.tif 000010
【図９】
2011083386.tif 000011
【図１０】
2011083386.tif 000012
【図１１】
2011083386.tif 000013
【図１２】
2011083386.tif 000014
【図１３】
2011083386.tif 000015
【図１４】
2011083386.tif 000016
【図１５】
2011083386.tif 000017
【図１６】
2011083386.tif 000018